(57)【要約】【課題】  既設の甲形分水栓の下胴を利用して新設のサドル分水栓に交換する場合に、精度の高い交換作業を行うことができる方法および装置を開示する。【解決手段】  既設の甲形分水栓の下胴だけを残留させて上胴などを撤去し、新設のサドル分水栓に交換するためのサドル分水栓であって、残留した下胴の外径部に対して密に嵌挿し、かつサドル分水栓の中心軸に並行した嵌挿面を有する内径部を設けた。また、弁函の上方には開口を有している。【選択図】          図１
2006046364.tif 000002
【特許請求の範囲】
【請求項１】
既設の甲形分水栓の下胴だけを残留させて上胴などを撤去し、新設のサドル分水栓に交換するためのサドル分水栓であって、前記残留した下胴の外径部に対して密に嵌挿し、かつ前記サドル分水栓の中心軸に並行した嵌挿面を有する内径部を設けたことを特徴とする既設分水栓の交換用のサドル分水栓。
【請求項２】
請求項１に記載のサドル分水栓であって、弁函の上方には開口を有する既設分水栓の交換用のサドル分水栓。
【請求項３】
下胴の流路を止水し、前記下胴から立設した棒状の止水用治具に対して、請求項１に記載のサドル分水栓を挿通し、このサドル分水栓のサドル部を給水本管に対して締め付け固定するに際して、前記治具が前記サドル分水栓の弁函の上方に設けられた開口の中心を維持するようにサドルを締め付ける既設分水栓のサドル分水栓への交換方法。
【発明の詳細な説明】
【技術分野】
【０００１】
本発明は、既設の甲形分水栓の下胴を利用して新たなサドル分水栓を精密に取り付け、その後の増径作業も正確に行うための方法およびこれに利用する装置に関するものである。
【背景技術】
【０００２】
従来から、既設の分水栓を新しい分水栓に交換する手段は各種公知である。そして、比較的古い機種である甲形分水栓の下胴だけを利用して、この上にサドル分水栓を設置する方法についても知られている。
【０００３】
【特許文献１】特開平０９−０３２０４９号
【特許文献２】特開２００３−２５４４８９号
【特許文献３】特開２００３−３１４７７８号
【発明の開示】
【発明が解決しようとする課題】
【０００４】
上記公知技術のうち、文献３を例にとると、サドル分水栓への交換では図５のように残留させた甲形分水栓の下胴３０の上部からサドル分水栓３１を被せるようにしている。３２は給水本管である。そして、下胴３０とサドル分水栓３１の中心軸ｇは本来は一致するのが好ましいが、下胴が給水本管に対して当初から斜めに設置されているような場合にはこれを一致させるのは困難である。即ち、さらに図に示す従来例のように、新たに設けられるサドル分水栓の内径ａは一般的に設置容易性のために下胴の外径ｃよりも十分大きくとられており、サドル分水栓を被せただけではがたつきがあるので中心軸ｇは一致しない。これは、本管の開口である下胴の内径とサドル分水栓の中心がずれることになり、適正な流路を確保できないという問題がある。そうすると、サドル分水栓を設置した後に下胴の内径をドリルで拡張して増径を行おうとすると、ドリルの中心軸を下胴の中心軸に合致させることができないので、精度の高い増径を行うことができない。
【０００５】
本発明は上述した従来の課題を解決するもので、既設の甲形分水栓の下胴を利用して新設のサドル分水栓に交換する場合に、精度の高い交換作業を行うことができる方法および装置を開示することを目的とする。
【課題を解決するための手段】
【０００６】
上記目的を達成するために、本発明では、既設の甲形分水栓の下胴だけを残留させて上胴などを撤去し、新設のサドル分水栓に交換するためのサドル分水栓であって、前記残留した下胴の外径部に対して密に嵌挿し、かつ前記サドル分水栓の中心軸に並行した嵌挿面を有する内径部を設けるという手段を用いた。この手段では、下胴の中心軸に対して並行に設定されている外径部にサドル分水栓の内径部を密に嵌挿するので、嵌挿後のサドル分水栓の中心軸は下胴の中心軸と一致する。また、この内径部は、サドル分水栓を取り付ける場合のガイドとして機能し、位置決めが容易になる。
【０００７】
また、下胴の流路を止水し、前記下胴から立設した棒状の止水用治具に対して、請求項１に記載されたサドル分水栓を挿通し、このサドル分水栓のサドル部を給水本管に対して締め付け固定するに際して、治具がサドル分水栓の弁函の上方に設けられた開口の中心を維持するようにサドルを締め付けるという方法的手段を用いた。ここでは、サドル分水栓は下胴の外径部に内径部を密に嵌挿しているので、この部分の中心軸が一致しており、サドル部を給水本管に締め付け固定する場合に開口から突出した治具が開口の中心を維持するように締め付けることによって、固定後にもサドル分水栓の中心が下胴の中心と一致した状態を維持することになる。
【発明の効果】
【０００８】
本発明では、上述した手段を用いたので、残留する下胴の外径に対して新設のサドル分水栓の内径部を密に嵌挿するだけで位置決めが可能となると同時に、それぞれの中心軸を容易に一致させることができる。また、サドル締め付け時においても、サドル分水栓の開口を目視しながら治具を中心に位置させて締め付け固定するだけで、サドル分水栓の中心軸は確実に下胴のそれと一致することになり、その後の工程である下胴の増径も精度を高く行うことができるようになる。
【発明を実施するための最良の形態】
【０００９】
以下、本発明の好ましい実施形態を、添付した図面に従って説明する。図１は本発明の装置を示した一部断面図であって、１は給水本管、２は給水本管１に既設されていた甲形分水栓の下胴である。甲形分水栓の上胴などを撤去するのは、特開２００３−１７６８９６号、あるいは特開２００３−３１４７７８号に記載された技術を利用する。３はこれらの撤去技術にしたがって上胴などを撤去した後に残留している棒状の治具であり、上胴の撤去後は図４の構成となっている。４は治具の先端に一体で設けられている止水部である。そして、給水本管１に対して下胴２および治具３が一体になった状態において、治具３に挿通するように新設のサドル分水栓５が取り付けられる。なお、以上説明した技術は既に公知である。
【００１０】
さらに図１において、ａは下胴２の外径、ｂは下胴２の内径を示している。そして、サドル分水栓５はボールバルブ１０、ボールバルブ１０の弁函１１、これらを支えて給水本管１に取り付けるためのサドル部１２、サドル部１２を給水本管１に固定するためのボルト１３およびナット１４で構成されている。本発明において特徴的な構成として、弁函１１の下方延長部１５に該当する分水栓内径ｃを下胴２の外径ａとほぼ同径として、サドル分水栓５を設置した場合には分水栓内径ｃが下胴の外径ａに対して密に嵌挿するようにした。このように構成することによって、下胴２の外径ａがガイドの役割を果たして分水栓内径ｃを導くことになり、これらの径を構成する曲面がそれぞれの中心軸と一致していることを前提とすると、設置したサドル分水栓５の中心軸は下胴２の中心軸に一致することになる。
【００１１】
本実施形態では、新設のサドル分水栓の軸を既設の甲形分水栓の下胴の軸にさらに精密に一致させる構成も採用している。図において、１６は弁函１１の上方延長部であって、端面には開口１７が形成されている。そして、この開口１７はサドル分水栓５を取り付けた最後の段階で閉止蓋（図示せず）によって水密にされる。図２はこの部分を平面視として示したもので、開口１７の中心に治具３が目視される。そして、この部分を利用してサドル分水栓５を給水本管１に対して固定するのである。即ち、一般的にサドル分水栓はサドル部１２を４箇所のボルト・ナットで締め付けて給水本管１に固定するが、これらの締め付けが適切でなければサドル部１２が給水本管１に対して傾きをもつことになり、せっかく上述したような下胴２の外径ａに対して分水栓内径ｃを合わせて密に嵌挿しても結果的には下胴２の軸とサドル分水栓５の軸がずれてしまうことになる。そうすると、将来の下胴２の増径にも問題があるばかりか、下胴２と分水栓の嵌挿部に好ましくない力が加わることになる。ここで示した実施形態は、このようなサドル部の固定に際して開口１７を指標とするものであり、図２に示したように治具３が絶えず開口１７の中心に位置するように４箇所のボルト・ナットを締め付けるようにする。このようにすると、サドル分水栓５の下方部は下胴２の外径ａで規制され、上方部は開口１７を指標としてボルト・ナットを締め付けるので、中心軸を容易に維持することができる。
【００１２】
次に、図３は下胴２の内径に対して増径を施す場合を示したものであり、図１における治具に代えて増径ドリル２０を適用したものである。２１はドリルの先端チップである。このように、下胴２に対してサドル分水栓５の中心軸を一致させて新設されていれば、サドル分水栓５の内側をガイドとして挿入された増径ドリル２０は下胴２の中心軸を容易に捉えることができる。
【図面の簡単な説明】
【００１３】
【図１】本発明の構成を示す一部断面図
【図２】サドル分水栓の開口部を示す平面図
【図３】新設したサドル分水栓に対して増径ドリルを適用した一部断面図
【図４】公知の方法によって既設甲形分水栓の上胴などを撤去したところを示す一部断面図
【図５】従来技術を示した説明図
【符号の説明】
【００１４】
１  給水本管
２  甲形分水栓の下胴
３  治具
４  止水部
５  新設のサドル分水栓
１０  ボールバルブ
１１  弁函
１２  サドル部
１３  ボルト
１４  ナット
１５  弁函の下方延長部
【図１】
2006046364.tif 000003
【図２】
2006046364.tif 000004
【図３】
2006046364.tif 000005
【図４】
2006046364.tif 000006
【図５】
2006046364.tif 000007